(57)【特許請求の範囲】
【請求項１】
商用交流電力を受電し、変圧器により高電圧に変換し、上記変圧器の二次側に接続された放電管を点灯するサイン灯用電源装置において、
複数のパターンデータを保持するデータ保持手段と、
上記データ保持手段中のパターンデータから選択されたものに従って上記変圧器の二次側出力電力を制御する手段と、
外部からの選択信号により上記パターンデータの選択を行う選択手段とを具備し、
上記選択手段は、受電商用交流電力が第１の所定時間以上でかつ第２の所定時間以下の断の状態と、上記第１の所定時間以上でかつ上記第２の所定時間以下の続の状態の少なくとも一方を検出する手段と、
上記検出した回数を計数する手段と、
上記計数値に応じてパターンデータの選出を行う手段とから構成されていることを特徴とするサイン灯用電源装置。
【請求項２】
商用交流電力を受電し、パターンデータに従って内蔵スイッチング素子を開閉して、上記受電商用交流電力を制御して出力し、その出力した電力をサイン灯の点滅・調光に用いるサイン灯用点滅・調光装置において、
複数のパターンデータを保持するデータ保持手段と、
上記データ保持手段中のパターンデータから選択されたものに従って上記受電商用交流電力の制御をさせる手段と、
外部からの選択信号により上記パターンデータの選択を行う選択手段とを具備し、
上記選択手段は、受電商用交流電力が第１の所定時間以上でかつ第２の所定時間以下の断の状態と、上記第１の所定時間以上でかつ上記第２の所定時間以下の続の状態の少なくとも一方を検出する手段と、
上記検出した回数を計数する手段と、
上記計数値に応じてパターンデータの選出を行う手段とから構成されていることを特徴とするサイン灯用点滅・調光装置。
【請求項３】
商用交流電力を受電し、変圧器により高電圧に変換し、上記変圧器の二次側に接続された放電管を点灯するサイン灯用電源装置において、
複数のパターンデータを保持するデータ保持手段と、
上記データ保持手段中のパターンデータから選択されたものに従って上記変圧器の二次側出力電力を制御する手段と、
外部からの選択信号により上記パターンデータの選択を行う選択手段とを具備し、
上記選択手段は、受電商用交流電力の断続状態を、２値信号に変換する手段と、上記変換された２値信号の所定長における各単位時間ごとの２値状態を解読してこれに応じたパターンデータの選出を行う手段とよりなることを特徴とするサイン灯用電源装置。
【請求項４】
商用交流電力を受電し、パターンデータに従って内蔵スイッチング素子を開閉して、上記受電商用交流電力を制御して出力し、その出力した電力をサイン灯の点滅・調光に用いるサイン灯用点滅・調光装置において、
複数のパターンデータを保持するデータ保持手段と、
上記データ保持手段中のパターンデータから選択されたものに従って上記受電商用交流電力の制御をさせる手段と、
外部からの選択信号により上記パターンデータの選択を行う選択手段とを具備し、
上記選択手段は、受電商用交流電力の断続状態を、２値信号に変換する手段と、上記変換された２値信号の所定長における各単位時間ごとの２値状態を解読してこれに応じたパターンデータの選出を行う手段とよりなることを特徴とするサイン灯用点滅・調光装置。
【発明の詳細な説明】
【０００１】
【産業上の利用分野】
この発明は、商用交流電圧を受電して変圧器により直接高電圧に変換し、又は、インバータによって高周波に変換するとともに変圧器によって高電圧とし、その高電圧を、その変圧器の二次側に接続されたネオン管やアルゴン管などの放電管に印加して点灯し、又、その点灯を滅灯したり制御し、、或いは点灯輝度を徐々に変化させ、いわゆる調光表示をおこなうサイン灯用電源装置、また商用交流電力をパターンデータによりスイッチング制御して、その出力を、二次側に放電管が接続された変圧器へ供給して放電管の点滅・調光に用いるサイン灯用点滅・調光装置に関する。
【０００２】
【従来の技術】
図９に従来のこの種の放電灯の点滅制御装置、或いは調光装置を示す。商用交流電源１１からの商用交流電圧はドラムスイッチ装置１２に供給され、ドラムスイッチ装置１２は図に示していないがドラム上に複数の帯状接点が並列に取り付けられ、その帯状接点がそれぞれ長手方向に断続するパターンとして構成され、このドラムが回転するとその断続パターンに従って商用交流電圧をオンオフするものであり、即ち、ドラムスイッチ装置１２の各スイッチ１２1 乃至１２n がその帯状接点パターンに従ってオンオフされる。この各スイッチ１２1 乃至１２n がそれぞれ変圧器、いわゆるネオントランス１３1 乃至１３n の各一次側に接続され、変圧器１３1 乃至１３n の各二次側に高電圧が発生される。この高電圧はこれら変圧器１３1 乃至１３n の二次側に接続されたネオン管やアルゴン管などの放電管１４1 乃至１４n を点滅制御する。調光装置においてはドラムスイッチ装置１２の替わりにそれぞれのスイッチ１２1 乃至１２n の部分にサイリスタが設けられ、そのサイリスタが商用交流電圧の１サイクル中にオンになる位相角が徐々に制御されて、それによりネオン管などの放電管１４1 乃至１４n の明るさが制御され、その明るさが徐々に明るくなったり暗くなったり等の制御がおこなわれて調光表示が行われる。
【０００３】
或いは、図１０に示すように変圧器１３1 乃至１３n の一次側に電源制御器１５1 乃至１５n がそれぞれ設けられ、その電源制御器１５1 乃至１５n に対して商用交流電源１１が接続され、又、点滅調光制御器１６がそれぞれ電源制御器１５1 乃至１５n に対し各別の信号線１７1 乃至１７n で接続され、各電源制御器１５1 乃至１５n はその入力された商用交流電圧を、また入力された点滅、調光制御信号に応じて断続して変圧器１３1 乃至１３n にそれぞれ供給する。よって変圧器１３1 乃至１３n にそれぞれ接続された放電管１４1 乃至１４n がそれぞれ点滅制御、或いは調光制御される。
【０００４】
従来のサイン灯用点滅・調光装置１８は図１１に示すように、商用交流電源１１が入力端子に接続され、この入力端子は複数に分岐され、それぞれスイッチング素子１９1 〜１９n を通じて出力端子に接続され、各出力端子にネオン変圧器１３1 〜１３n がそれぞれ接続される。点滅・調光制御器１６の出力側がサイン灯用点滅・調光装置１８内の制御器１５に接続され、制御器１５は入力されたパターンデータに従ってスイッチング素子１９1 〜１９n をオンオフ制御する。
【０００５】
【発明が解決しようとする課題】
図９に示した個別配線によって各変圧器に対して配線を行う場合は、変圧器の数が多くなるにしたがって膨大な配線を必要とし、工事に多大な時間を要する問題があった。一方、信号線を別に設ける図１０に示す方式においては、信号線に雑音が重畳する恐れがあり、その影響を無くす必要があった。又、信号線を個々に配線するのも電源線ほどではないが多くの工事を必要とすることになる。
【０００６】
従来のサイン灯用点滅・調光装置はネオン塔の近くに分散配置され、各ネオン変圧器、ネオン管の配線は短くなるが、サイン灯用点滅・調光装置への点滅・調光パターンデータの伝送距離が比較的長くなり、雑音の影響を受け易く、またその信号線のための配線を必要とする。
【０００７】
【課題を解決するための手段】
この発明のサイン灯用電源装置によれば、複数のパターンデータを保持するデータ保持手段が内蔵され、又、そのデータ保持手段中のパターンデータから選択されたものを読みだして、そのパターンデータに従って変圧器の二次側の電力を制御、つまりオンオフ制御、或いは位相角制御（流通位相角制御）ないし電流制御を行う手段と、外部からの選択信号によりパターンデータの選択を行う選択手段とが内蔵されている。
【０００８】
この発明のサイン灯用点滅・調光装置によれば、複数のパターンデータがデータ保持手段に保持され、これらパターンデータの一つが選択されてそのパターンデータに従って、受電商用交流電力をオンオフするスイッチング素子が制御され、外部からの選択信号によって選択手段で上記パターンデータの選択が行われる。
【０００９】
上記いずれの装置においても選択手段としては、受電商用交流電力の所定時間以上、所定時間以下の断と、所定時間以上、所定時間以下の続との少なくとも一方が検出され、その検出回数が計数され、その計数値に応じたパターンデータが選出される。
あるいは上記選択手段は受電商用交流電力の断続状態が２値信号に変換され、その２値信号の所定長における各単位時間ごとの２値状態が解読され、その結果に応じたパターンデータが選出される。
【００１０】
【実施例】
図１にこの発明によるネオン灯用電源装置の実施例を示す。この発明による電源装置２１はそのケース内に変圧器１３が内蔵され、その変圧器１３の一次側はトライアク等の半導体スイッチ素子２２を通じて電源入力端子２３ａ、２３ｂに接続され、変圧器１３の二次側は出力端子２４ａ、２４ｂに接続される。電源装置２１のケースは変圧器１３のケース自体であってもよい。入力端子２３ａ、２３ｂはスイッチを介して商用交流電源１１に接続され、出力端子２４ａ、２４ｂはネオン管のような放電管１４に接続される。
【００１１】
電源装置２１内には、ワンチップマイコンより構成された制御部２５が設けられ、入力端子２３ａ、２３ｂにトランス２６が接続され、トランス２６の二次側に全波整流器２７が接続され、その整流出力はコンデンサ２８を充電すると同時に定電圧回路２９に供給され、定電圧回路２９の出力側にコンデンサ３１が接続される。そのコンデンサ３１の両端電圧、つまり定電圧回路２９の出力は制御部２５の動作電源端子に印加される。又、定電圧回路２９の出力側にリセット回路３２が接続され、商用交流電源電圧が最初に印加された際に、その立ち上がりを検出して制御部２５を初期状態にリセットするように成されている。
【００１２】
この発明においては、パターンデータを保持するデータ保持手段３３、例えばＲＯＭが設けられ、ＲＯＭ３３には放電管を点滅制御する場合には、点灯を示すデータとして１が、消灯を示すデータとして０が記憶される。このデータ保持手段３３が一定時間ごとに、例えば１秒ごとに読みだされ、その読み出し周期を示す一定時間は、例えばタイマー３４を設け、そのタイマー３４がタイマーアウトするごとに読み出しを行い、またそのタイマー３４をリセットする、この例では読みだされたデータはインバータ３５で極性反転されてラッチ回路３６にラッチされ、ラッチ回路３６の出力によってトライアック、つまり半導体スイッチ素子２２が制御される。この例では半導体スイッチ素子２２として光トライアックを用いた場合であって、そのラッチ回路３６の出力側は発光素子３７を通じて定電圧回路２９の出力側に接続され、発光素子３７の発光によってフォトトライアック２２がオンするように構成されている。発光素子３７とフォトトライアック２２はフォトカプラを構成している。従ってデータ保持手段３３に保持されているパターンデータの内容にしたがって放電管１４が点滅制御される。
【００１３】
データ保持手段３３としては読み出し専用メモリ（ＲＯＭ）に限らず、電気的に書換え可能であるが、電源が切断されても記憶内容を保持する、例えばＥＥＰＲＯＭを用いてもよく、あるいは記憶を保持する電源を必要とするＲＡＭを用いてもよい。
またデータ保持手段３３内の領域３３ａに、例えば夏用のパターンデータ、領域３３ｂに冬用のパターンデータ、領域３３ｃにクリスマス用のパターンデータなどと、互いに異なるパターンデータが複数記憶されてあり、外部からその１つを選択して、その選択した１つのパターンデータでネオン管を点灯制御するようになされている。このパターンデータの選択は手動で簡単に商用交流電圧を直接オンオフ制御して、例えば電磁開閉器によって電源線７６をオンオフ制御して作ることが可能である。このため全波整流器２７の一端が抵抗器８６、８６’を通じて接地され、その抵抗器８６’と並列にコンデンサ８７が接続され、コンデンサ８７の両端電圧が制御部２５に入力される。このコンデンサ８７と抵抗器８６との時定数を商用交流電圧の半サイクルに対して充分短く、例えば１ミリ秒に選定する。制御部２５に入力されたコンデンサ８７の両端電圧はＡＤ変換器８８でデジタル信号に変換される。
【００１４】
いま、例えば図２Ａａに示すように、電源電圧を投入して適当な時間、例えば１０秒程度オンとした後、１秒以下で商用交流電圧をオンオフ制御する。電源装置２１側においては、図１中のコンデンサ８７を含む回路の時定数を１秒以上とし、コンデンサ２８を含む回路の時定数をコンデンサ８７を含む回路の時定数の１０乃至２０倍よりも大きな値とする。この時、図２Ａａに示した電源電圧が電源装置２１に与えられると、コンデンサ２８の電圧が図２Ａｂのようになり、定電圧回路２９が動作し、その出力は図２Ａｃのように定電圧に保持され、制御部２５が十分動作するようになる。つまり、商用交流電圧がオンオフされても１秒以内程度であればこれに影響されないで制御部２５は動作を継続する。
【００１５】
一方コンデンサ８７の電圧は図２Ａｄに示すように商用交流電圧のオンオフに応じてオンオフする波形となり、この電圧を制御部２５に取り込んでＡＤ変換器８８でデジタル信号としてその商用交流電圧のオン状態、オフ状態を、それぞれ高レベル信号、低レベル信号として検出すると、図２Ａｅに示すようなデータが得られる。
【００１６】
例えばこの図２Ａｅに示したような信号が検出されたとき、制御部２５においては図２Ｂに示すような処理により選択するパターンデータの番号を求める。即ち、先ず商用交流電圧が到来し、電源の立ち上がりを検出すると（Ｓ1 ）、その商用交流電圧が継続している時間ｔ1 が５秒以上か否かをチェックし（Ｓ2 ）、５秒以下の場合はカウンタをクリアして通常運転モードに切り替わる（Ｓ3 ）。一方、電源電圧が立ち上がりが検出されてから次に断となるまでの時間ｔ1 が５秒以上の場合は、その断となって次に立ち上がるまでのオフ時間ｔ2 が０．１秒乃至１秒であるか、つまり正常なオフ区間かを判定し（Ｓ4 ）、もしその範囲にあれば、そのオンとなってから次にオフとなるまでのオン期間ｔ3 が０．１秒乃至１秒であるか、つまり正常なオン区間かを判定し（Ｓ5 ）、これが満足される場合はカウンタを＋１する（Ｓ6 ）。その後ステップＳ4 にもどり、次のオフ間が０．１乃至１秒以内かどうかのチェックをし、正常のオフ区間だったらステップＳ5 において次のオン区間が０．１乃至１秒であるか、つまり正常なオン区間であるかを判定し、正常である場合はカウンタを＋１する。以下このことを繰り返す。
【００１７】
ステップＳ4 において正常なオフ区間でなく、オフ区間が継続する場合にはステップＳ3 に移り、ステップＳ5 において正常なオン区間でなく、オン区間が連続する状態ではカウンタの計数値Ｎが３より大きいかをチェックし（Ｓ7 ）、３より大きければそのカウンタ値Ｎ−３の番号のパターンデータからの読み出しを行うように切り替えてステップＳ3 に移る（Ｓ8 ）。ここで、カウンタの計数値が３以上とすることは、１回、２回のオンオフもパターンデータの切替えデータとすると、誤って１回や２回のオンオフをしてもパターンデータの切替えが生じることがないようにするためである。従って、例えば図２Ａｅにおいては計数値Ｎが５となり、図１のパターン番号２（５−３＝２）の領域３３ｂに記憶されたパターンデータの読み出しに切り替えられる。尚、カウンタの計数値Ｎが３以下で、しかも信号が例えば１０秒間継続して来ない場合は切替えを止めて、前のパターンデータの選択をしたまま動作を開始する。
【００１８】
このように商用交流電圧自体を断続制御して選択信号を行う場合に、この断続をその商用交流電圧と同期して行う例を図３Ａに示す。即ち、パターン番号選択スイッチ４４よりのスイッチデータは、例えばマイクロコンピュータよりなる断続制御部８１に入力される。商用交流電源１１の電源線７６にトランス８２が分岐接続され、そのトランス８２の出力が整流器８３で全波整流され、その整流出力が断続制御部８１内のＡ／Ｄ変換器に入力され、デジタル信号に変換される。パターン番号選択スイッチ４４からの選択信号データが１の場合は、断続制御部８１から商用交流電圧の１サイクルの期間、これと同期して、例えば１ＫＨｚの交流信号が出力され、パルストランス８４を介してパルスとしてトライアック８５のゲートに印加される。トライアック８５は電源線７６に直列に挿入されている。
【００１９】
例えば、商用交流電圧が図３Ｂａに示すような状態においては、その整流器８３の出力は図３Ｂｂに示すようになり、この全波整流電圧の０交差点が断続制御部８１に於いて図３Ｂｃに示すように検出される。パターン番号選択スイッチ４４から入力された選択データが図３Ｂｄに示すような状態において、その高レベル１で断続制御部８１から１ＫＨｚのパルスが図３Ｂｅに示すように出力され、低レベル０では１ＫＨｚのパルスは出力されない。この１ＫＨｚのパルスによってトライアック８５が駆動され、この１ＫＨｚの断続は入力された商用交流電圧と同期し、１Ｈｚを単位として行われ、、従って商用交流電圧の断続出力は図５Ｂｆに示すようになる。つまり、パターン番号選択スイッチ４４からの選択信号データが高レベルの場合は商用交流電圧が１サイクル出力され、データが低レベル０の場合においては商用交流電圧は出力されない。
【００２０】
従って図１の電源装置２１内の全波整流器２７から、例えば図３Ｂｇに示すように、受電期間は商用交流電圧の全波整流波形が交流の１サイクルを基準として得られ、非受電時は０となり、制御部２５でその整流電圧の存在する期間が高レベルとされ、図３Ｂｈに示すように２値の選択信号データが再現される。
即ち、例えば５０サイクルの電源確認時間のあいだ高レベルが継続すると、電源確立と判定し、その後に電源電圧０期間が発生すると、これがスタートビットとして認識されその次からの各１サイクルごとの高レベルか低レベルかが各１つのデータとして認識され、このような８つのデータの次の１サイクルがパリティビット、最後の１サイクルがストップビットとして認識される。この場合は８ビットデータとパリティビット及びストップビットとの１１ビットであり、各１サイクルづつが用いられ、１１サイクルで１つのデータ分として送られる。この選択信号データを解読してパターン番号を求め、そのパターンデータをデータ保持手段３３から読みだす。なおこの場合スタートビットは０．５秒以上、かつ１秒以下で発生した場合をスタートビットとし、通常のスタートビットの後の各サイクルは１．０５サイクルより短く、０．９５サイクルより長いものをデータとして扱う。このように各データの１ビットを商用交流電圧の１サイクルとするときは、この電源に接続される変圧器１３等の磁芯が偏磁する恐れがない。この点からすると１つのデータは１サイクルの整数倍の長さとすることもできる。また、後で述べるインバータ形式の電源装置においては特に１ビットのデータ長を１サイクルの整数倍とする必要はない。同一の選択信号データの伝送を複数回、例えば２回行って２回とも一致したらその選択信号データが示すパターン番号のパターンデータを選択し、もし一致しない場合においてはその選択信号データを採用しない。実際のデータ転送に当たっては、受信側電源電圧が動作に十分な電圧レベルを保つように図１のコンデンサ２８の容量を大きく選ぶとともに、データとデータの間にコンデンサ２８の充電時間分の休止時間を設ける。又、データは最初にアドレスデータが送信され、続いてパターンデータが送出される。アドレスの一致した受信先のみがデータの取込みを行う。
【００２１】
選択信号の入力は遠隔地から行う場合のみならず、電源装置２１の近くで行ってもよい。例えば図１に示すように、外部よりの選択信号を磁気結合により取り込んで（受信して）、その受信選択信号によってパターンデータを選択するようにする。即ち電源装置２１内には磁芯３８にコイル３９を巻いた受信部が設けられ、そのコイル３９の出力はダイオード４１で検波され、その時定数回路４２で波形が整えられて制御部２５内のＡＤ変換器４３に入力される。
【００２２】
一方、選択信号の発生装置としては、例えばマイクロコンピュータを内蔵した選択信号発生器４４に対しキーボード４５を操作して所望のパターン番号を入力し、そのパターン番号を表示部４６で表示させて確認しながら入力する。選択信号発生器４４は入力されたパターン番号を図５Ｂｄに示した選択信号データに編集して出力する。この直列データはゲート４７に供給され、そのゲート４７には搬送波発生器４８の搬送波信号が入力され、よってその搬送波信号が選択信号発生器４４からの直列データ信号の１、０によって断続制御され、そのゲート４７の出力は同調トランス４９を通じてトランジスタ５１のベースに与えられてトランジスタ５１が駆動される。トランジスタ５１の出力側、即ちコレクタに同調回路が接続される。同調回路の同調コイル５２は送信コイルであって磁芯５３上に巻かれている。
【００２３】
従ってこの磁芯５３に発生した磁力線を受信コイル３９と磁気結合させると、受信コイル３９で受信された信号はダイオード４１及び時定数回路４２で包絡線検波が行われ、変調データ、つまり選択信号発生器４４の出力データ信号が得られる。これが制御部２５内に入力され、そのＡＤ変換器４３の出力から前述した各通信フォーマットに応じて、そのスタートビットとストップビットの間における８つのデータを取り出し、これを解読してデータ保持手段３３から読みだすパターンデータの選択を行う。
【００２４】
このような磁気結合による書き込みの構造的例を図４Ａ、Ｂを参照して説明する。電源装置２１のケース５５の、例えば上板の内面にＥ字型の磁芯３８が、その３つの脚部の端面側を上板側と接近して配され、その中心脚部に受信コイル３９が巻かれている。ケース５５は非磁性材で構成されている。一方、送信側の磁芯５３も同様にＥ字型に構成され、その中心脚部に送信コイル５２が巻かれている。よって図に示すように、そのＥ字型磁芯３８と５３とをその両脚部の端面をケース５５の上板を介して突き合わせるようにすると、互いに磁気結合する。
【００２５】
この場合、送信コイル５２を含む磁芯５３をキャップ状の取り付け具５６内に取り付け、その取り付け具５６をケース５５の上部に被せるように嵌合させると、送信コイル５２と受信コイル３９とが位置決めされて互いに磁気的結合をするようにすると便利である。或いは、このような取り付け具を付けることなく、図２Ａに示すようにケース５５の上面上の受信コイル３９の取り付けられている磁芯の脚部の端面と対向する部分にコイル位置マーク５７を付けておき、このコイル位置マーク５７上に送信コイル５２が巻かれた磁芯脚部の端面を配置して送信コイル５２と受信コイル３９との確実な磁気結合を簡単に行う構成とすることもできる。
【００２６】
図４Ｃに示すように、ケース５５にスリット５８を形成し、そのスリット５８に送信コイル５２を挿入すると、リング状磁芯３８の空隙内に送信コイル５２が位置し、受信コイル３９と磁気結合するようにしてもよい。この場合図４Ｄに示すように、ケース５５に小さい穴５９を形成し、小さな棒状磁芯５３を挿入して、コ字状磁芯３８の両脚部間に磁芯５３が位置するようにしてもよい。図４Ｃ及びＤに示した構成においては、ケース５５を磁性材で形成してもよい。
【００２７】
電源装置２１への選択信号の供給は、先の磁気結合による他、各種の手段によることもできる。即ち、例えば図５Ａにこれまでの説明と対応する部分に同一符号を付けて示すように、ゲート４７の出力を発光素子６１に供給し、この発光素子６１の発生光、又はその発光素子６１自体を、例えばケース５５に形成した小さな穴を通じてその内部に入れ、パターンデータによって変調された高周波信号によって発光素子６１の光発生が制御され、その光がケース５５内に設けた受光素子６２で受光されて、その光強度に応じた電気信号に変換され、これが時定数回路６３でその包絡が検出されて制御部２５内のＡＤ変換器４３に供給される。
【００２８】
或いは図５Ｂに示すように、選択信号発生器４４よりの直列データ信号によって送信機６４が、例えば振幅変調されて、電波としてアンテナより送信され、ケース５５に設けられたアンテナで受信され、受信機６５で増幅検波されて、その検波出力がＡＤ変換器４３に供給される。この場合は、電波による結合であって、かなり離れた箇所からも結合させることが可能である。更に、図５Ｃに示すように、先の磁気結合における出力駆動トランジスタ５１の出力側に同調トランス６７が接続され、このトランス６７の二次側に電極板６８が接続され、ケース５５内面に設けた電極板６９と近接対向させて、両電極板６８、６９を静電的に結合させ、電極板６９の出力が同調トランス７１を介して検波用ダイオード４１に出力されるようにする。このように静電結合によってデータ信号を供給することも可能である。
【００２９】
又、図６Ａに示すように、搬送波発生器４８としては音波周波数の発振器を設け、駆動トランジスタ５１に対し、送信コイルの替わりに電気音響変換器、例えばスピーカー７２を接続し、このスピーカー７２からの音響信号を、ケース５５に設けた音響電気変換器、例えばマイクロホン７３により受音し、その出力をダイオード４１、時定数回路４２により検波してＡＤ変換器４３に供給するようにしてもよい。また、図６Ｂに示すように、ゲート４７よりの出力を同調トランス４９から増幅器７４へ供給し、その増幅出力を同調トランス７５を通じて、商用交流電源１１と入力端子２３ａ、２３ｂとの間に接続された電源線７６に供給して商用交流電圧と重畳し、入力端子２３ａ、２３ｂへ伝送し、端子２３ａ、２３ｂ間に接続された同調トランス７７によりその伝送されてきた高周波信号の直列データ信号を取り出してダイオード４１にて検波するようにしてもよい。この場合は商用交流電源１１へ高周波信号が入力するのを阻止するチョークコイル７８を設け、また同調トランス７５、７７には低周波阻止コンデンサ７９が直列に挿入される。
【００３０】
上述においては、商用交流電圧を変圧器１３で直接昇圧したが、一旦高周波信号に変換して高い電圧を発生するようにするインバータ式の電源装置にもこの発明を適用することができる。例えば図７に図１と対応する部分に同一符号を付けて示すように、入力端子２３ａ、２３ｂは全波整流回路９１で整流され、更に平滑回路９２で平滑されて直流とされる。この平滑回路９２の一方の出力側が変圧器９３の中点に接続されるとともに、他方の出力側がスイッチング素子９４、９５を通じて変圧器９３の両端にそれぞれ接続される。変圧器９３の二次側が出力端子２４ａ、２４ｂに接続される。制御部２５によりスイッチング素子９４、９５が交互にスイッチングされて変圧器９３に、例えば１０乃至３０ＫＨｚの高周波信号が発生すると共に高い電圧に昇圧されて出力端子２４ａ、２４ｂに印加される。この場合においてはネオン管１４に対する点滅制御は、つまりデータ保持手段３３から読みだしたデータによってスイッチング素子９４、９５のオンオフ制御を停止したり、スイッチング動作を行わせたりする。つまり読みだしたデータが１の場合はスイッチング動作を行うが、０の場合はスイッチング動作を中止するように制御部２５が動作する。その他については、先に図１に対応して説明したことをすべてこの場合にも適用することができる。
【００３１】
以上のように複数のパターンデータを保持し、それを選択して利用することはサイン灯用点滅・調光装置にも適用できる。その例を図８に図１１及び図１と対応する部分に同一符号を付けて示す。つまりこの実施例では複数パターンデータが記憶されたデータ保持手段３３が設けられ、その１つが選択され、その選択されたパターンデータが読みだされ、そのパターンデータによりスイッチング素子１９1 〜１９n がオンオフ制御される。従ってこの点滅・調光装置１８に変圧器１３1 〜１３n を介して接続されるネオン管１４1 〜１４n が点滅制御され、あるいは明るさが制御される。このパターンデータの選択は先に図１について述べた各種の手法を同様に用いることができる。
【００３２】
【発明の効果】
以上述べたようにこの発明のサイン灯用電源装置によれば、点滅・調光パターンデータが記憶されてあり、これを読みだしてサイン灯の点滅・調光制御が行われ、パターンデータを常時送信する必要がなく、サイン灯用電源装置を簡単に分散配置することができる。しかも、複数のパターンデータが保持され、これらを例えば季節に応じて切り替えて使用できる。
【００３３】
またこの発明のサイン灯用点滅・調光装置には、点滅・調光パターンデータが複数記憶され、その１つを選択して、それにより出力交流電力をオンオフ、或いは位相制御され、パターンデータを常時送信する必要がなく、外来雑音の影響を受け難い。
特に電源装置、点滅・調光装置の何においても、パターンデータの切替えを遠隔制御で行うようにしたものにおいても、これらが設置された高所へ登ることなく、簡単にパターンデータの切替えを行うことができる。
【図面の簡単な説明】
【図１】この発明のサイン灯用電源装置の一例を示すブロック図。
【図２】パターンデータの切替えを商用電源電圧の断続により行う場合で、Ａはその動作例を示すタイムチャート、Ｂは選択信号の検出処理例を示す流れ図である。
【図３】パターンデータの切替えを商用電源電圧の断続により行う場合で、Ａはその断続構成を示す図、Ｂはその動作例を示すタイムチャートである。
【図４】Ａはこの発明の電源装置の外観例を示す斜視図、Ｂはその縦断面図、Ｃはその変形例の一部を示す断面図、Ｄは更に他の例の一部を示す断面図である。
【図５】外部より選択信号を供給する他の例を示す接続図。
【図６】外部より選択信号を供給する更に他の例を示す接続図。
【図７】この発明を適応したインバータ式電源の例を示すブロック図。
【図８】この発明によるサイン灯用点滅・調光装置を示すブロック図。
【図９】従来のネオン管の点灯制御装置を示すブロック図。
【図１０】従来のネオン管の点灯制御の他の例を示す接続図。
【図１１】従来のサイン灯用点滅・調光装置を示すブロック図。
【図１】
0003544385.tif 000002
【図２】
0003544385.tif 000003
【図３】
0003544385.tif 000004
【図４】
0003544385.tif 000005
【図５】
0003544385.tif 000006
【図６】
0003544385.tif 000007
【図７】
0003544385.tif 000008
【図８】
0003544385.tif 000009
【図９】
0003544385.tif 000010
【図１０】
0003544385.tif 000011
【図１１】
0003544385.tif 000012